(57)【特許請求の範囲】
【請求項１】
本体に穿設されたノズルの放出方向が水平となるように取付けられ、本体に接続された円筒状のフレームの内部にはノズルの放出方向に溝が刻設されており、フレーム内に設置されフレーム内を前記溝に沿って摺動可能なアームが形成されているガイドリングには、ノズルより放出された水が衝突されるデフレクターと、該デフレクターが摺動可能なピンが設置されており、常時はフレーム内にデフレクターが収納され、火災時に感熱分解機構の分解によってデフレクターがフレーム外部に突出する構造の側壁型スプリンクラーヘッドにおいて、ガイドリングのアームがデフレクターの縦軸に対して左右対称に設けられ、アーム先端部分を中間部分よりも太くして段差を形成したことを特徴とする側壁型スプリンクラーヘッド。
【請求項２】
請求項１記載のガイドリングのアームにおいて、中間部分と先端部分の間が傾斜あるいは曲線形状であることを特徴とする側壁型スプリンクラーヘッド。
【請求項３】
請求項１記載のガイドリングのアームにおいて、中間部分に対して先端部分の段差が上側または下側に偏って形成されていることを特徴とする側壁型スプリンクラーヘッド。
【発明の詳細な説明】
【０００１】
【発明の属する技術分野】
本発明は、側壁型の消火用スプリンクラーヘッドに関するものである。
【０００２】
【従来の技術】
従来の側壁型スプリンクラーヘッドは、壁面等から垂直に突出した状態で設置され、作動時には消火水を矩形に散布するものあり、図９に側壁型スプリンクラーヘッドの一例を示し、図８に図９の側壁型スプリンクラーヘッドの床面における散水分布形状を示す。
【０００３】
図９は従来の側壁型スプリンクラーヘッドの作動時の斜視図であり、側壁型スプリンクラーヘッドの機構・作用の詳細については特開平１１−１６４９０６号公報に記載されている。
【０００４】
図９に示す側壁型スプリンクラーヘッドは壁面に補助デフレクター１が上側で水平状態になるよう図示しない配管に取付られており、またフレーム２の内部に刻設された水平溝と、デフレクター３と係合しているガイドリングのアーム４が摺動自在に嵌合され、フレーム２の内部でデフレクター３が回転しないように組立てられている。ガイドリングのアーム構造の詳細については、実公平４−５１８２１号公報に記載されている。
【０００５】
上記の側壁型スプリンクラーヘッドは火災が発生すると、火災の熱によって図示しない感熱分解機構が分解・落下し、フレーム２内からデフレクター３が水圧によって突出し、図示しない配管より送水される消火水が該デフレクター３及び該デフレクター上部に設置された補助デフレクター１に衝突して室内に消火水を矩形に散布し消火を行うものである。
【０００６】
【発明が解決しようとする課題】
上記の側壁型スプリンクラーヘッドにおいて、散布形状に大きな影響を与えるのは前述のデフレクターと補助デフレクターの形状であるが、より広範囲に消火水を分布するためには、図８に示す散水範囲のコーナー部分の散水量が少なく、散布範囲の拡大が難しい状態にある。その一因としてガイドリングのアームが障害物となって消火水を遮っていることが考えられる。
【０００７】
そこで本発明では、上記問題を解決可能であり、より広範囲に消火水を散布可能な側壁型スプリンクラーヘッドの提供を目的としている。
【０００８】
【課題を解決するための手段】
上記の目的を達成するために、本発明者はガイドリングのアームを細くすることで壁面側のコーナー部分の散水量を増加させようと試みた。その結果アームを細く形成するとともに、アームの先端部分を幅広に形成することで、壁面側コーナー部分の散水量が増加することがわかった。
【０００９】
請求項１記載の発明は、本体に穿設されたノズルの放出方向が水平となるように取付けられ、本体に接続された円筒状のフレームの内部にはノズルの放出方向に溝が刻設されており、フレーム内に設置されフレーム内を前記溝に沿って摺動可能なアームが形成されているガイドリングには、ノズルより放出された水が衝突されるデフレクターと、該デフレクターが摺動可能なピンが設置されており、常時はフレーム内にデフレクターが収納され、火災時に感熱分解機構の分解によってデフレクターがフレーム外部に突出する構造の側壁型スプリンクラーヘッドにおいて、ガイドリングのアームがデフレクターの縦軸に対して左右対称に設けられ、アーム先端部分を中間部分よりも太くして段差を形成したものである。
【００１０】
アームの具体的形状としては、図５（ａ）に示すような先端部分と中間部分の間が傾斜になっているものや、同図（ｂ）、（ｃ）に示す先端部分と中間部分の間が曲線形状のものや、あるいは同図（ｄ）、（ｅ）に示すような先端部分の段差が上側または下側に偏って形成されているものが考えられる。
【００１１】
上記アーム形状としたことで側壁型スプリンクラーヘッドの作動時には、図６に示すようにデフレクターに衝突してアーム側に飛散された消火水が、アームの先端部分に衝突することで四方に拡散され、その結果、壁面側の散水範囲への散水量が増えるものである。
【００１２】
【発明の実施の形態】
以下、この発明の実施形態を図１から図５を参照して説明する。図１は本発明の側壁型スプリンクラーヘッドの外観図、図２は図１に示す線Ａ−Ａの矢印方向から見た断面図、図３はデフレクター組立の分解斜視図、図４はガイドリングとフレームとの摺動状態説明図、図５はガイドリングの具体的形状を表す図、図６はデフレクターおよびアーム部分の消火水の流動状態図、図７は床面における散水分布形状である。
【００１３】
本発明の側壁型スプリンクラーヘッドは、本体１０、フレーム２０、弁体３０、デフレクター組立４０、補助デフレクター５０、感熱分解機構６０、等から構成されている。
【００１４】
本体１０は中央にノズル１１が穿設されており、端部は弁座１２となっている、また本体１０の外周には牡ネジ１３が螺設され、端部はフランジ１４となっている。
【００１５】
フレーム２０は円筒状であり、一端は内側フランジ２１となっていて２箇所に溝２２、２２が刻設されている。他端は前述本体１０のフランジ１４に螺合している。
【００１６】
弁体３０は円盤上で一側にパッキンが被着されており、平時、本体１０の弁座１２を水密状態に閉塞している。弁体３０は後述のデフレクター４１の中心部分に設置固定される。
【００１７】
デフレクター組立４０は図３に示すように、デフレクター４１、ガイドリング４２、ピン４３から構成される。デフレクター４１は円形の板状であり、上部には中央が深くなった逆円弧形の凹み４４が形成されている。
【００１８】
またデフレクター４１の両側には横方に複数のスリット４５・・・が形成されており、該スリットで形成された部分が羽根４６・・・となっている。羽根４６の一部あるいは全部がノズル１１方向に少し傾斜した状態で屈曲している。
【００１９】
デフレクター４１の上方位置には補助デフレクター５０が離間して設置されている。補助デフレクター５０は矩形板を水平と略等しく屈曲させて形成したものであり、立ち上がり部５１をフレーム２０のフランジ側端面に固定している。
【００２０】
ガイドリング４２は円盤の中央に穴が穿設され、外周縁には二本のアーム４７、４７が円盤面から垂直に立設されている。該アーム４７はフレーム２０の溝２２と嵌合し、水平方向に摺動自在に構成されている。内周縁には中心方向に突出して設置された凸部４８、４８が設けられ、該凸部４８にピン４３の一端が嵌合される穴４９、４９が穿設されている。
【００２１】
アーム４７の具体的形状は前述の通りであり、図５に示す。この他に先端部分の長さＬ１を変化させて用いることも可能であるし、先端部分と中間部分の間の斜辺の長さＬ２を変化させて用いることも可能である。
【００２２】
本発明では２本のアーム４７、４７を水平位置に設け、アーム４７の先端に段差を形成したことで、消火水を飛散させる作用を持たせたものである。アーム４７が水平位置にあるとアーム４７に衝突した消火水は散水範囲の壁面側コーナー部分に散布される。
【００２３】
アーム４７を垂直位置に設けた場合には、上側のアームから飛散した消火水は、散水範囲の壁面より遠方側の中央部分に散布され、下側のアームから飛散した消火水は、散水範囲の壁面側中央部分に散布される。
【００２４】
またアームを１本のみとした場合、水平位置にアームを設けると散水範囲の左右で散水量に偏りが生じるので好ましくない。１本のアームを垂直位置に設けることについては、散水範囲の壁面側か壁面より遠方側に作用するだけなので実施可能である。
【００２５】
ピン４３は、デフレクター４１の羽根４６の一部に穿設された穴に挿通させた後、一端を前述のガイドリング４２の穴４９に嵌合固定する。ピン４３の他端はフランジ形状となっており、本発明の側壁型スプリンクラーヘッドが作動した際にデフレクター４１が係止されるものである。
【００２６】
感熱分解機構６０は、フレーム２０から出た部分に配設されており、ガイドポスト６１を介して弁体３０を保持している。感熱分解機構に関しては一例として特公昭５８−３６９８５号公報により周知されているので、ここでは詳細な説明は省略する。
【００２７】
次に本発明の側壁型スプリンクラーヘッドにおける火災発生時の作動について説明する。
【００２８】
火災が発生すると、火災の異常高温で感熱分解機構６０が分解し、落下する。すると感熱分解機構で保持されていたデフレクター４１がフレーム２０のフランジ端方向に移動する。デフレクター４１の移動に伴いデフレクター４１と係合されているピン４３、ガイドリング４２も同方向に移動する。
【００２９】
この際ガイドリング４２のアーム４７がフレーム２０の溝２２に沿って摺動し、デフレクター４１の上部の凹み４４が常に補助デフレクター５０側に位置するようにしてある。ガイドリング４２はフレーム２０の内側フランジ２１で移動が停止され、このときデフレクター４１と一体になった弁体３０も移動するため、弁座１２が開かれる。
【００３０】
弁座１２の開放により消火水がノズル１１から噴出し、デフレクター４１及び補助デフレクター５０に衝突して室内に散布される。このとき側壁型スプリンクラーヘッドの取付位置からより遠方の散布域に対しては補助デフレクター５０によって散水分布が制御され、横方向や下方への散布はデフレクター４１に形成されたスリット４５・・・や羽根４６・・・によって所定幅に散布される。
【００３１】
デフレクターの羽根４６に衝突し、散水範囲の左右側へ飛散された消火水の一部は、アーム４７の先端に衝突して四方へ飛散され、図７に示すように散水範囲の壁面側コーナー部分への散水量が増える。
【００３２】
【発明の効果】
以上説明したように、本発明によればガイドリングのアームの先端部分を太くして中間部分と段差をつけたことにより、散水範囲の壁面側コーナー部分への散布量が充分確保され、これにより散水範囲を拡大できる効果を有する側壁型スプリンクラーヘッドである。
【図面の簡単な説明】
【図１】本発明の側壁型スプリンクラーヘッドの外観図
【図２】図１に示す線Ａ−Ａの矢印方向から見た断面図
【図３】デフレクター組立の分解斜視図
【図４】ガイドリングとフレームとの摺動状態説明図
【図５】ガイドリングの具体的形状を表す図
【図６】デフレクターおよびアーム部分の消火水の流動状態図
【図７】本発明の側壁型スプリンクラーヘッドの床面における散水分布形状
【図８】図９の側壁型スプリンクラーヘッドの床面における散水分布形状
【図９】従来の側壁型スプリンクラーヘッドの作動時の斜視図
【符号の説明】
１０  本体
１１  ノズル
１２  弁座
１３  牡ネジ
１４  フランジ
２０  フレーム
２１  内側フランジ
２２  溝
２３  ライン状の突起
２４  溝
３０  弁体
４０  デフレクター組立
４１  デフレクター
４２  ガイドリング
４３  ピン
４４  凹み
４５  スリット
４６  羽根
４７  アーム
４８  凸部
４９  穴
５０  補助デフレクター
６０  感熱分解機構
【図１】
0003906127.tif 000002
【図２】
0003906127.tif 000003
【図３】
0003906127.tif 000004
【図４】
0003906127.tif 000005
【図５】
0003906127.tif 000006
【図６】
0003906127.tif 000007
【図７】
0003906127.tif 000008
【図８】
0003906127.tif 000009
【図９】
0003906127.tif 000010